(57)【特許請求の範囲】
【請求項１】
被写体を撮影するビデオカメラ部と、
該ビデオカメラ部からの映像を解析して外界の特定の事象を認識するイベント認識部と、
該イベント認識部が判別すべきイベントのパターンを格納しておくイベントパターン記憶部と、
前記イベント認識部で認識したイベントが、前記イベントパターン記憶部に記憶されているものと同じであった場合には前記ビデオカメラ部からの映像を静止画像として記録する画像記録部と、
前記ビデオカメラ部で撮影される映像を表示するビデオ表示部と、
を具備し、
前記イベント認識部は、認識状況に関する情報を映像化して常時前記ビデオ表示部に送り、該ビデオ表示部はビデオカメラ部から送られてきた情報と重ね合わせて表示することを特徴とする画像撮影装置。
【請求項２】
前記イベント認識部は、前記ビデオカメラ部で撮影される影像を常時解析しており、影像中に前記イベントパターン記憶部に記憶されているイベントがあることを認識したら、その時点の影像を静止画像として前記画像記録部に送り、当該静止画像を記録することを特徴とする請求項１記載の画像撮影装置。
【請求項３】
被写体を撮影するビデオカメラ部と、
該ビデオカメラ部からの映像を解析して外界の特定の事象を認識するイベント認識部と、
該イベント認識部で判別すべきイベントのパターンを格納しておくイベントパターン記憶部と、
前記イベント認識部で認識したイベントが前記イベントパターン記憶部に記憶されているイベントパターンより大きい場合には前記ビデオカメラ部からの映像を静止画像として記録する画像記録部と、
により構成されることを特徴とする画像撮影装置。
【請求項４】
前記イベント認識部は、認識状況に関する情報を映像化して常時ビデオ表示部に送り、該ビデオ表示部はビデオカメラ部から送られてきた情報と重ね合わせて表示することを特徴とする請求項３記載の画像撮影装置。
【請求項５】
前記イベントパターン記憶部は、正対する人影のパターンを格納していることを特徴とする請求項３乃至４記載の画像撮影装置。
【発明の詳細な説明】
【０００１】
【発明の属する技術分野】
本発明は画像撮影装置に関する。
モーバイルコンピューティング（携帯型のコンピュータを持ち歩きながら使用すること）の進展に伴い、今後は人がコンピュータ機器を持って移動することが普通になると思われる。モーバイルコンピューティングの１つの用途は、コンピュータ機器を持って移動する人が出会った事象（イベント）の記録を、後の利用に備えて記録することである。その１つの方法として、小型のビデオカメラを持ったコンピュータ機器により、人が移動中に発生する周囲のできごと（イベント）を記録することが要求されてくる。
【０００２】
【従来の技術】
従来の画像撮影装置としては、カメラかディジタルスチルカメラが用いられる。このうち、データ処理に用いられるのは、画像データをディジタルデータとして記憶できるディジタルスチルカメラであり、近年３０万画素〜４０万画素程度の普及品が市場に出回るようになってきている。ディジタルスチルカメラは、ＣＣＤ等を光電変換素子して用い、該光電変換素子の出力をＡ／Ｄ変換器でディジタルデータに変換した後、例えばカード状の記憶媒体に記録するものである。
【０００３】
【発明が解決しようとする課題】
前述した従来のディジタルスチルカメラでは、カメラを被写体に向けてシャッタを切るという動作が必要である。このため、前述したモーバイルコンピューティングに用いるには手間がかかりすぎるという問題がある。
【０００４】
本発明はこのような課題に鑑みてなされたものであって、シャッタを切るという意識的な動作を省くことができる画像撮影装置を提供することを目的としている。
【０００５】
【課題を解決するための手段】
（１）図１は本発明の原理ブロック図である。図において、１は被写体を撮影するビデオカメラ部、２は該ビデオカメラ部１からの映像を解析して外界の特定の事象を認識するイベント認識部、３は該イベント認識部２が判別すべきイベントのパターンを格納しておくイベントパターン記憶部、４は前記イベント認識部２で認識したイベントが、前記イベントパターン記憶部３に記憶されているものと同じであった場合には前記ビデオカメラ部１からの映像を静止画像として記録する画像記録部である。
【０００６】
この発明の構成によれば、イベント認識部２で認識したイベントが、前記イベントパターン記憶部３に記憶されているものと同じであった場合には前記ビデオカメラ部１からの映像を静止画像として画像記録部４に記録することができ、シャッタを切るという意識的な動作を省くことができる。つまり、この発明の構成によれば、イベントパターン記憶部３にシャッタ動作に該当する画像記録を行わせる条件を記憶させておき、当該条件に合致した映像がビデオカメラ部１で撮影された場合には、自動的に画像記録部４に当該映像を記録するものである。従って、シャッタ動作は不要となる。また、更に表示部を設けることにより、映像に合わせて認識状況も把握することができる。
【０００７】
（２）この場合において、前記イベント認識部２はビデオカメラ部１で撮影される映像を常時解析しており、映像中にイベントパターン記憶部３に記憶されているイベントがあることを認識したら、その時点の映像を静止画像として画像記録部４に送り、当該静止画像を記録することを特徴としている。
【０００８】
この発明の構成によれば、特定のイベントが発生した時に、ビデオカメラ部１で撮影した映像を画像記録部４に自動的に記録することができ、モーバイルコンピューティングに好適である。
【０００９】
（３）また、被写体を撮影するビデオカメラ部と、該ビデオカメラ部からの映像を解析して外界の特定の事象を認識するイベント認識部と、該イベント認識部で判別すべきイベントのパターンを格納しておくイベントパターン記憶部と、前記イベント認識部で認識したイベントが前記イベントパターン記憶部に記憶されているイベントパターンより大きい場合には前記ビデオカメラ部からの映像を静止画像として記録する画像記録部と、により構成されることを特徴とする。
この発明の構成によれば、イベントパターン認識部で認識したイベントがイベントパターン記憶部に記憶されているイベントより大きい場合に、ビデオカメラからの映像を静止画像として記録することができる。
【００１０】
（４）更に、前記イベント認識部２は、認識状況に関する情報を映像化して常時ビデオ表示部５に送り、該ビデオ表示部５はビデオカメラ部１から送られてきた情報と重ね合わせて表示することを特徴としている。
【００１１】
この発明の構成によれば、映像に合わせて認識状況も把握できるので、都合がよい。
（５）この場合において、前記イベントパターン記憶部は、正対する人影のパターンを格納していることを特徴とする。
この発明の構成によれば、誰と会っていたかを後で思い出す場合に都合がよい。
【００１２】
【発明の実施の形態】
以下、図面を参照して本発明の実施の形態例を詳細に説明する。
図２は本発明の一実施の形態例を示すブロック図である。図１と同一のものは、同一の符合を付して示す。図において、５はビデオカメラ部１で撮影される映像を表示するビデオ表示部である。該ビデオ表示部５には、画像記録部４に記憶された画像を読み出して表示できるようにもなっている。このように、ビデオ表示部５を設けることにより、ビデオカメラ部１で撮影される映像をビデオ表示部５に表示できるので、撮影された映像を確認することができる。６はビデオカメラ部１で撮影される被写体である。イベントパターン記憶部３には、予め発生が予想されるイベントを書き込んでおく。
【００１３】
このような構成によれば、イベント認識部２で認識したイベントが、前記イベントパターン記憶部３に記憶されているものと同じであった場合には前記ビデオカメラ部１からの映像を静止画像として画像記録部４に記録することができ、シャッタを切るという意識的な動作を省くことができる。つまり、この発明の構成によれば、イベントパターン記憶部３にシャッタ動作に該当する画像記録を行わせる条件を記憶させておき、当該条件に合致した映像がビデオカメラ部１で撮影された場合には、自動的に画像記録部４に当該映像を記録するものである。従って、シャッタ動作は不要となる。
【００１４】
このように構成された装置の動作をフローチャートを用いて説明すると、以下の通りである。
図３は本発明装置の動作の一例を示すフローチャートである。ビデオカメラ部１は、被写体６の映像をビデオ表示部５とイベント認識部２に送り始める（Ｓ１）。そして、以下に示す一連の処理を繰り返し行なう。先ず、イベント認識部２は、ビデオカメラ部１から送られてきた映像の中に、イベントパターン記憶部３の中に記憶されているイベントパターンに一致するイベントがあるかどうか常時チェックしている（Ｓ２）。イベント認識部２が、イベントパターン記憶部３に記憶されているイベントと同じイベントの出現を認識した場合には、イベント認識部２はビデオカメラ部１からの映像を静止画像にして画像記録部４に送り、画像記録部４は送られてきた静止画像を記録する（Ｓ３）。これによれば、特定のイベントが発生した時に、ビデオカメラ部１で撮影した映像を画像記録部４に自動的に記録することができ、モーバイルコンピューティングに好適である。
【００１５】
ステップＳ２において、一致するイベントがなかった場合、イベント認識部２は認識状況に関する状況（例えば被写体の状態や、背景、天候等）を映像化してビデオ表示部５にテキストとして表示し、ビデオ表示部５はビデオカメラ部１からの映像に重ねて表示する（Ｓ４）。これによれば、映像に合わせて認識状況も把握できるので、都合がよい。
【００１６】
なお、本発明によれば、画像記録部４に記録されている画像を、必要に応じて読み出し、ビデオ表示部５に表示することもできる。
図４は本発明の装着例を示す図である。図２と同一のものは、同一の符号を付して示す。図において、１０は装置本体であり、オペレータの顔に眼鏡をかける要領で取り付けられている。そして、ビデオカメラ部１が装置の一方の端に設けられ、装置の下部にはビデオカメラ１で撮影した映像が表示されるビデオ表示部５が設けられている。オペレータは、この装置をかけたまま、歩き回る。その間、ビデオカメラ部１は周囲の状況を撮影し、撮影した映像をビデオ表示部５に表示する。オペレータは、ビデオ表示部５が装置の下部に取り付けられているので、少し見にくいが下向きかげんでビデオ表示部を観ることになる。そして、イベントパターン記憶部３に記憶されているパターンと同じパターンの被写体を撮影したら、その画像は自動的に画像記録部４に記録されていく。このように、本発明では、オペレータがシャッタ動作を行なうことなく、イベントの検出をトリガとして順次画像を画像記録部４に記録していくことができる。
【００１７】
図５はイベントの具体例を示す図である。図では、（ａ）と（ｂ）の２種類示す。（ａ）ではビデオカメラ部１の映像の中に、利用者の手が写っており、手を普段はしない特別な形にすると、今観ているビデオ画像が静止画像として画像記録部４に記録される。この例は、オペレータが観ている書類を静止画として記録する時等を想定している。
【００１８】
（ｂ）は、やはり、ビデオ表示部５からの映像を示すものである。写っている人がある決められた以上の大きさの時に、今観ているビデオ画像が静止画として画像記録部４に記録される。この例は、会っている相手の人の姿を静止画像として残す場合を想定している。
【００１９】
上述の実施の形態例では、本発明装置を人の頭部に眼鏡状に取り付ける場合を示したが、本発明はこれに限るものではなく、肩にかけたり、背中にしょったりする使用形態も考えられる。
【００２０】
【発明の効果】
（１）以上、詳細に説明したように、本発明によれば、被写体を撮影するビデオカメラ部と、該ビデオカメラ部からの映像を解析して外界の特定の事象を認識するイベント認識部と、該イベント認識部が判別すべきイベントのパターンを格納しておくイベントパターン記憶部と、前記イベント認識部で認識したイベントが、前記イベントパターン記憶部に記憶されているものと同じであった場合には前記ビデオカメラ部からの映像を静止画像として記録する画像記録部と、前記ビデオカメラ部で撮影される映像を表示するビデオ表示部と、を具備し、前記イベント認識部は、認識状況に関する情報を映像化して常時前記ビデオ表示部に送り、該ビデオ表示部はビデオカメラ部から送られてきた情報と重ね合わせて表示すること により、イベント記憶部で認識したイベントが、前記イベントパターン記憶部に記憶されているものと同じであった場合には前記ビデオカメラ部からの映像を静止画像として画像記録部に記録することができ、シャッタを切るという意識的な動作を省くことができる。また、更に表示部を設けることにより、映像に合わせて認識状況も把握することができる。
【００２１】
（２）この場合において、前記イベント認識部はビデオカメラ部で撮影される映像を常時解析しており、映像中にイベントパターン記憶部に記憶されているイベントがあることを認識したら、その時点の映像を静止画像として画像記録部に送り、当該静止画像を記録することにより、特定のイベントが発生した時に、ビデオカメラ部で撮影した映像を画像記録部に自動的に記録することができ、モーバイルコンピューティングに好適である。
【００２２】
（３）また、被写体を撮影するビデオカメラ部と、該ビデオカメラ部からの映像を解析して外界の特定の事象を認識するイベント認識部と、該イベント認識部で判別すべきイベントのパターンを格納しておくイベントパターン記憶部と、前記イベント認識部で認識したイベントが前記イベントパターン記憶部に記憶されているイベントパターンより大きい場合には前記ビデオカメラ部からの映像を静止画像として記録する画像記録部と、
により構成されることにより、イベントパターン認識部で認識したイベントがイベントパターン記憶部に記憶されているイベントより大きい場合に、ビデオカメラからの映像を静止画像として記録することができる。
【００２３】
（４）更に、前記イベント認識部は、認識状況に関する情報を映像化して常時ビデオ表示部に送り、該ビデオ表示部はビデオカメラ部から送られてきた情報と重ね合わせて表示することにより、映像に合わせて認識状況も把握できるので、都合がよい。
【００２４】
（５）また、この場合において、前記イベントパターン記憶部は、正対する人影のパターンを格納していることにより、誰と会っていたかを後で思い出す場合に都合がよい。
このように、本発明によれば、シャッタを切るという意識的な動作を省くことができる画像撮影装置を提供することができ、オペレータの負担を軽減することができる。
【図面の簡単な説明】
【図１】本発明の原理ブロック図である。
【図２】本発明の一実施の形態例を示すブロック図である。
【図３】本発明装置の動作の一例を示すフローチャートである。
【図４】本発明装置の装着例を示す図である。
【図５】イベントの具体例を示す図である。
【符号の説明】
１  ビデオカメラ部
２  イベント認識部
３  イベントパターン記憶部
４  画像記録部
【図１】
0003683649.tif 000002
【図２】
0003683649.tif 000003
【図３】
0003683649.tif 000004
【図４】
0003683649.tif 000005
【図５】
0003683649.tif 000006